(57)【要約】【課題】  遊技者が複数の演出表示機の中から選択することができる選択型演出表示装置を遊技機に設けることで遊技者が、自分の好みに合った演出形態を選択することができる遊技機を提供することを目的とする。【解決手段】  上部パネル部６０３の中央にドットパターン表示装置４００、ランプ表示装置５００、液晶表示装置６００を備えた選択型演出装置３００を設置する。遊技者は、自分の好みの演出表示を選択するために、選択型演出装置３００を操作することができる切替スイッチＣＨを押下することで、選択型演出装置３００が回転し、複数の演出表示の中から選択する。【選択図】  図６
2005137783.tif 000002
【特許請求の範囲】
【請求項１】
主基板による抽選結果により、所定の図柄を表示するように制御される可変表示手段と、
前記抽選結果に対する演出を表示する演出表示装置とを備える箱形遊技機において、
前記演出表示装置は、前記箱形遊技機の前面を構成する前面パネルから透視可能とし、複数の演出表示形態機能を有するものであって、前記演出表示形態を選択的に切り替えることができることを特徴とする遊技機。
【請求項２】
前記演出表示装置は、前記前面パネルの上部に設置することを特徴とする請求項１記載の遊技機。
【請求項３】
前記演出表示装置は、前記前面パネルの中央部に設置し、前記可変表示手段を前記前面パネルの上部に設置することを特徴とする請求項１記載の遊技機。
【請求項４】
前記演出表示装置は、回転することにより前記複数の演出表示形態を選択的に切り替えることができる回転体であることを特徴とする請求項１から３のいずれか１項に記載の遊技機。
【請求項５】
前記回転体は、複数の面を有する形状であって、面ごとに異なる演出表示形態機能を備えた構成であることを特徴とする請求項１から４のいずれか１項に記載の遊技機。
【請求項６】
前記演出表示形態機能は、複数行複数列のドットを介してドットパターンを表示可能とするドットパターン表示機能と、
複数のランプを有し、該ランプが点灯や消灯、点滅の少なくとも一つのパターンで演出を行うランプ表示機能と、
演出画像を液晶画像表示することができる液晶表示機能とを有することを特徴とする請求項５記載の遊技機。
【請求項７】
前記ドットパターン表示機能は、特定小役及び特別役の入賞を遊技者に報知するために、予め設定された文字や絵図や線画の何れかを含むパターンをドットパターン表示で表示可能とすることを特徴とする請求項５記載の遊技機。
【請求項８】
前記ランプ表示機能は、特定小役及び特別役の入賞を遊技者に報知するために、予め設定されたランプの点灯、消灯、点滅の少なくとも１つを含むパターンを行うことを特徴とする請求項５記載の遊技機。
【請求項９】
前記液晶表示機能は、特定小役及び特別役の入賞を遊技者に報知するために、予め設定された演出画像表示を表示することを特徴とする請求項５記載の遊技機。
【発明の詳細な説明】
【技術分野】
【０００１】
本発明は、液晶、ドット等の演出表示装置を備えた遊技機に関し、特に、遊技者が上記演出表示装置を選択的に選べる演出表示装置を備えた遊技機に関する。
【背景技術】
【０００２】
近年のスロットマシンは、遊技機に液晶またはドットマトリクス等の演出表示装置を備えており、これらの演出表示装置にて遊技者に対して、キャラクター等をモチーフとして特別役等の告知、またはそれに類する多彩な演出表示を行って、遊技に対する演出効果を高めている。
【０００３】
上述したようなスロットマシンの具体例として、液晶表示装置を備え、ゲームに関連した各種表示を行ったり（特許文献１参照）、前面パネルの背面側に複数行複数列のドットを介してドットパターンで表示可能な情報表示パネルを設け、この情報表示パネルにより入賞ラインや絵図やランプマーク等を表示するようにしたりしたものがある（特許文献２参照）。
【特許文献１】特開平７−１２４２９０号公報
【特許文献２】特開２０００−３５０８０５号公報
【発明の開示】
【発明が解決しようとする課題】
【０００４】
しかしながら、遊技者によっては、液晶表示による演出表示を好む遊技者もいれば、擬似マトリクスアレイによるドットパターン表示による演出表示を好む遊技者いることから、遊技者は、自分の好む演出表示を表示する装置を搭載したスロットマシンのみでしか遊技ができないといった問題がある。
また、その演出形態、例えば液晶専用機、ドット専用機とその演出形態に合わせて複数の遊技機バリエーションを製造しなくてはならないため、コスト高になってしまう問題点も発生する。
【０００５】
そこで、本発明は係る問題に鑑みてなされてたものであり、遊技者が複数の演出表示機の中から選択することができる選択型演出表示装置を遊技機に設けることで遊技者が、自分の好みに合った演出形態を選択することができる遊技機を提供することを目的とする。
【課題を解決するための手段】
【０００６】
上記目的を達成するために、請求項１記載の遊技機は、主基板による抽選結果により、所定の図柄を表示するように制御される可変表示手段と、抽選結果に対する演出を表示する演出表示装置とを備える箱形遊技機において、演出表示装置は、箱形遊技機の前面を構成する前面パネルから透視可能とし、複数の演出表示形態機能を有するものであって、演出表示形態を選択的に切り替えることができることを特徴とする。
【０００７】
請求項２記載の発明は、請求項１記載の遊技機であって、演出表示装置は、前面パネルの上部に設置することを特徴とする。
【０００８】
請求項３記載の発明は、請求項１記載の遊技機であって、演出表示装置は、前面パネルの中央部に設置し、可変表示手段を前面パネルの上部に設置することを特徴とする。
【０００９】
請求項４記載の発明は、請求項１から３のいずれか１項に記載の遊技機であって、演出表示装置は、回転することにより複数の演出表示形態を選択的に切り替えることができる回転体であることを特徴とする。
【００１０】
請求項５記載の発明は、請求項１から４のいずれか１項に記載の遊技機であって、回転体は、複数の面を有する形状であって、面ごとに異なる演出表示形態機能を備えた構成であることを特徴とする。
【００１１】
請求項６記載の発明は、請求項５記載の遊技機であって、演出表示形態機能は、複数行複数列のドットを介してドットパターンを表示可能とするドットパターン表示機能と、複数のランプを有し、該ランプが点灯や消灯、点滅の少なくとも一つのパターンで演出を行うランプ表示機能と、演出画像を液晶画像表示することができる液晶表示機能とを有することを特徴とする。
【００１２】
請求項７記載の発明は、請求項５記載の遊技機であって、ドットパターン表示機能は、特定小役及び特別役の入賞を遊技者に報知するために、予め設定された文字や絵図や線画の何れかを含むパターンをドットパターン表示で表示可能とすることを特徴とする。
【００１３】
請求項８記載の発明は、請求項５記載の遊技機であって、ランプ表示機能は、特定小役及び特別役の入賞を遊技者に報知するために、予め設定されたランプの点灯、消灯、点滅の少なくとも１つを含むパターンを行うことを特徴とする。
【００１４】
請求項９記載の発明は、請求項５記載の遊技機であって、液晶表示機能は、特定小役及び特別役の入賞を遊技者に報知するために、予め設定された演出画像表示を表示することを特徴とする。
【発明の効果】
【００１５】
以上の説明から本発明の遊技機は、複数の演出表示を有する演出表示装置を備え、遊技者が複数の演出表示の中から自分の好みの演出表示を選択することができる。また、
また、様々な演出形態のスロットマシン、例えば液晶専用機種、ドット専用機種などを製造しなくても、１台の仕様で様々なタイプのスロットマシンを提供することができる。
【発明を実施するための最良の形態】
【００１６】
次に添付図面を参照して、本発明の実施形態を説明する。
まず、図１に示すスロットマシンの外部構成を概説すると、本スロットマシン１００は、遊技者に面するフロントドア１０１と、フロントドア１０１が開閉可能に取り付けられた筐体１０２とを備えて構成されている。
【００１７】
フロントドア１０１は、機械的に強固な硬質プラスチックで成形された上部パネル部１０３と中部パネル部１０４及び下部パネル部１０５とを備えて構成されている。
【００１８】
上部パネル部１０３には、上部パネルと呼ばれる演出用ランプ１０３ａと、スピーカが取り付けられた放音部１０３ｂ、１０３ｃと、液晶ディスプレイ等で形成された演出表示装置１０３ｄが設けられている。
【００１９】
中部パネル部１０４には、透明な硬質プラスチック板で形成された略長方形の透過窓ＷＤと、演出用ランプ１０４ａ、１０４ｂが設けられ、筐体１０２内に設けられている回胴リール装置２００の回胴リールＲ１,Ｒ２,Ｒ３を、遊技者が透過窓ＷＤを介して見ることが可能となっている。
【００２０】
さらに、中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１,Ｂ２,Ｂ３と、１ゲームの開始を指示するためのスタートレバーＳＴと、回転中の回胴リールＲ１,Ｒ２,Ｒ３を個別に停止させるためのストップボタンＳＰ１,ＳＰ２，ＳＰ３が設けられている。
【００２１】
さらに、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると施錠機構（図示略）を解除し、フロントドア１０１を筐体１０２から開くことが可能となっている。
【００２２】
下部パネル部１０５には、本スロットマシン１００のゲーム内容を紹介等するための画像（図示略）が描かれており、さらに遊技者の獲得した枚数の遊技メダルを払い出すための排出口１０５ａ及び受け皿１０５ｂと、スピーカが取り付けられた放音部１０５ｃが設けられている。
【００２３】
次に、図２を参照して、本発明の選択型演出表示装置３００の構成を説明する。
図２に示すように、選択型演出装置３００は、回転体３０１と回転体３０１を回転させるための回転軸３０２から構成されている。また、回転軸３０２は、回転体３０１の上面と底面の中心を貫通した構成となっている。
【００２４】
なお、本実施形態では、回転体３０１を三角柱を用いているが、回転軸３０２を中心に回転することができる物体なら形状は問わない。また、複数の面を有する多角柱が好ましいとされる。
【００２５】
回転体３０１は、側面３０１ａ〜３０１ｃを有する。側面３０１ａ〜３０１ｃには、それぞれ異なる演出表示装置が設けられている。異なる演出表示装置として図４〜図６に示すように、側面３０１ａには、ドットパターン表示装置４００が設けられている。側面３０１ｂには、ランプ表示装置５００が設けられている。側面３０１ｃには、液晶表示装置６００が設けられている。
【００２６】
遊技者は、自分の好みにあった演出表示装置を選択するために、後述する図６及び図８に示す操作部６０４ｃに配置されている切替スイッチＣＨを押すことで、回転体３０１が回転し、演出表示装置を切り替えることができる。
【００２７】
次に図３〜図５を参照して、側面３０１ａ〜３０１ｃに配置された演出表示装置の構成を説明する。
図３では、側面３０１ａに配置されたドットパターン表示装置４００は、側面３０１ａにＬＥＤ４０１（発光ダイオード）が多数行多数列のマトリクス上に形成されている。ＬＥＤ４０１が発光することにより、予め設定した文字列や絵図や線画などをドットパターンにて表示する。図４に示すようにドットパターン表示装置４００が「ＢＢ」と表示しているが、これは「ＢＢ」、すなわちビックボーナスに入賞したことを意味している。さらに、レギュラーボーナスでは、「ＲＢ」といった表示をしてもよい。
【００２８】
また、有効ラインに小役が揃った時には、例えば小役である「ベル」の形状をドットパターン表示してもよい。
【００２９】
また、アシスト・タイム（ＡＴ）のように、遊技者にストップボタンＳＰ１〜ＳＰ３の押し順を報知する場合には、ドットパターン表示装置４００において、例えば左から右へ順にストップボタンＳＰ１〜ＳＰ３を押すときには、ドットパターン表示にて「左−真ん中−右」といったような表示をする。また、キャラクターを表示させて遊技者にストップボタンＳＰ１〜ＳＰ３の押し順を報知してもよい。
【００３０】
図４は、ランプ表示装置を示した図である。
ランプ表示装置５００は、回転体３０１の側面３０１ｂに設けられている。ランプ表示装置５００は、ランプＬＰ１〜ＬＰ３の３個のランプが設けられている。なお本実施形態では、ランプを３個設けた形状で説明しているが、ランプは３個以上あってもよい。
【００３１】
また、アシスト・タイム（ＡＴ）では、回転中の回胴リールを個別に停止させるためにストップボタンの押し順を遊技者に報知する必要がある。そのため、ランプ表示装置５００は、ランプＬＰ１〜ＬＰ３を用いて遊技者にストップボタンの押し順を告知する。
【００３２】
例えば、回胴リールＲ１〜Ｒ３をＲ３,Ｒ２,Ｒ１といった順番でリールを停止させたい時は、ランプＬＰ３が点灯し、遊技者は回胴リールＲ３を停止させるストップボタンＳＰ３を押下すると同時にランプＬＰ３が消灯してランプＬＰ２が点灯する。遊技者は、ランプＬＰ２の点灯を確認したらストップボタンＳＰ２を押下して回胴リールＲ２を停止させると同時にランプＬＰ２が消灯してランプＬＰ１が点灯する。遊技者は、ランプＬＰ１の点灯を確認したら回胴リールＲ１を停止させるためのストップボタンＳＰ１を押下する。
【００３３】
図５は、液晶表示装置の構成を示した図である。
液晶表示装置６００は、回転体３０１に液晶パネルを設置した構成となっている。液晶表示装置６００は、ゲーム内容や遊技進行を表示したり、小役や特別役に入賞した時には入賞を報知する演出画像を表示する。また、特別遊技状態に移行した際には、例えばキャラクターを用いたアニメーション的な画像表示をすることで、遊技の趣向性を高める。
【００３４】
次に添付図面を参照して、本発明の第１の実施形態を説明する。
（第１の実施形態）
図６は、本発明の第１の実施形態であるスロットマシンの構成を示した図である。図２は、第１の実施形態であるスロットマシンの構成を示した斜視図である（なお、下部パネル部は省略する。）。
【００３５】
本スロットマシン６００の外部構造を概説すると、本スロットマシン６００は、遊技者に面するフロントドア６０１と、フロントドア６０１が開閉可能に取り付けられた筐体６０２とを備えて構成されている。
【００３６】
フロントドア６０１は、機械的に強固な硬質プラスチックで成形された上部パネル部６０３と中部パネル部６０４及び下部パネル部６０５とを備えて構成されている。
【００３７】
上部パネル部６０３には、上部ランプと呼ばれる演出用ランプ６０３ａと、スピーカが取り付けられた放音部６０３ｂ,６０３ｃと、透過窓６０３ｄが設けられている。透過窓６０３ｄから目視可能なように、本発明の選択型演出表示装置３００が設けられている（図７を参照）。
【００３８】
中部パネル部６０４には、透明な硬質プラスチック板で形成された略長方形の透過窓ＷＤと、演出用ランプ６０４ａ,６０４ｂが設けられ、筐体６０２内に設けられている回胴リール装置７００の回胴リールＲ１,Ｒ２,Ｒ３を、遊技者が透過窓ＷＤを介して見ることが可能となっている。
【００３９】
さらに、中部パネル部６０４の下端には、遊技者が操作するための操作部６０４ｃが設けられ、当該操作部６０４ｃには、スロットマシンゲームを行うに必要な遊技メダルを投入するためのメダル投入部ＭＤと、１ゲーム当たりのメダル数を提示するためのベットボタンＢ１,Ｂ２，Ｂ３と、本発明の選択型演出表示装置３００を切り替えるための切替ボタンＣＨと、１ゲームの開始を指示するためのスタートレバーＳＴと、回転中の回胴リールＲ１,Ｒ２,Ｒ３を個別に停止させるためのストップボタンＳＰ１,ＳＰ２,ＳＰ３が設けられている。
【００４０】
さらに、メダル投入部ＭＤの近傍に、フロントドア６０１を開錠するための鍵穴ＫＹが設けられている。そして、遊技場側の事業者や管理者が、鍵穴ＫＹに正規の鍵を挿入して開錠操作すると施錠機構（図示略）を解除し、フロントドア６０１を筐体６０２から開くことが可能となっている。
【００４１】
下部パネル部６０５には、本スロットマシン６００のゲーム内容を紹介等するための画像（図示略）が描かれており、さらに遊技者の獲得した枚数の遊技メダルを払い出すための排出口６０５ａ及び受け皿６０５ｂと、スピーカが取り付けられた放音部６０５ｃが設けられている。
【００４２】
次に添付図面を参照して、本発明の第２の実施形態を説明する。
（第２の実施形態）
図８は、第２の実施形態であるスロットマシンの構成を示す図である。図９は、第２の実施形態であるスロットマシンの構成を示す斜視図である（下部パネル部は省略する。）。
第２の実施形態は、上部パネル部６０３に回胴リール装置７００を設け、中部パネル部６０４に設けられた透過窓ＷＤを介して目視することができる位置に選択型演出装置３００を設けている（図９を参照）。
【００４３】
図９に示すように選択型演出装置３００を中部パネル部６０３に設けることで、図６に示す選択型演出装置３００よりも大きくすることができる。また、遊技者は、従来のように回胴リール装置７００を見て遊技するのではなく、中部パネル部６０４に設けられた選択型演出表示装置３００を見て遊技を行う。
【００４４】
遊技者は、例えば選択型演出装置３００の側面３０１ａに設けられているドットパターン表示装置４００が表示する演出表示を見て遊技を行う。ドットパターン表示装置４００は、小役が入賞した時に、小役が「ベル−ベル−ベル」の場合はドットパターン表示によって「ベル」の形状を表示する。遊技者は、ドットパターン表示によって表示された「ベル」を見て、小役に入賞したことがわかる。これにより、遊技者に対して規定された枚数のメダルが払い出される。
【００４５】
ランプ表示装置５００では、ビックボーナス、レギュラーボーナス、アシスト・タイム（ＡＴ）を報知するランプＬＰ１〜ＬＰ３が設けられているが、これ以外に複数のランプを配置して、小役が入賞した時は、複数のランプを点滅させることによって、遊技者に小役の入賞を報知する。
【００４６】
液晶表示装置６００において、遊技者は、演出画像を見て遊技を進行させる。演出画像は、小役や特別役の入賞の報知を図５では、「ダチョウ」と「ライオン」といった動物やキャラクターを用いて小役や特別役の入賞の報知や、特別遊技状態中では、特別遊技を示す演出画像を表示する。遊技者は、様々な演出画像を見ることで、小役や特別役の入賞の報知などを確認することができる。
【００４７】
なお本実施例は、スロットマシンを用いて説明したが、例えば、スロットマシン以外の箱型形状の遊技機、或いは弾球遊技機に用いてもよい。
【図面の簡単な説明】
【００４８】
【図１】本発明の実施形態に係るスロットマシンの構成を概説した図である。
【図２】本発明の実施形態における選択型演出装置の構成を示した図である。
【図３】本発明の実施形態における選択型演出装置に設けられたドットパターン表示装置の構成を示した図である。
【図４】本発明の実施形態における選択型演出装置に設けられたランプ表示装置の構成を示した図である。
【図５】本発明の実施形態における選択型演出装置に設けられた液晶表示装置の構成を示した図である。
【図６】本発明の第１の実施形態におけるスロットマシンの構成を示した図である。
【図７】本発明の第１の実施形態におけるスロットマシンの斜視図である。
【図８】本発明の第２の実施形態におけるスロットマシンの構成を示した図である。
【図９】本発明の第２の実施形態におけるスロットマシンの斜視図である。
【符号の説明】
【００４９】
３００    選択型演出装置
３０１    回転体
３０２    回転軸
３０１ａ〜３０１ｃ    側面
４００    ドットパターン表示装置
５００    ランプ表示装置
６００    液晶表示装置
【図１】
2005137783.tif 000003
【図２】
2005137783.tif 000004
【図３】
2005137783.tif 000005
【図４】
2005137783.tif 000006
【図５】
2005137783.tif 000007
【図６】
2005137783.tif 000008
【図７】
2005137783.tif 000009
【図８】
2005137783.tif 000010
【図９】
2005137783.tif 000011